(57)【要約】【課題】直感的な操作で画像を変形しながら表示することができる表示機器、表示方法およびプログラムを提供する。【解決手段】表示機器１は、表示機器１のモーション情報を検出するモーション情報検出部３と、モーション情報検出部３が検出したモーション情報に基づいて、少なくとも表示部６が表示する画像を変形させる画像処理を行って処理画像データを生成する画像処理部７１と、画像処理部７１が生成した処理画像データに対応する処理画像を表示部６に表示させる表示制御部７３と、を備える。【選択図】図１
2015135623.tif 000002
【特許請求の範囲】
【請求項１】
画像データに対応する画像を表示可能な表示部を備えた表示機器であって、
当該表示機器のモーション情報を検出するモーション情報検出部と、
前記モーション情報検出部が検出した前記モーション情報に基づいて、少なくとも前記画像を変形させる画像処理を行って処理画像データを生成する画像処理部と、
前記画像処理部が生成した前記処理画像データに対応する処理画像を前記表示部に表示させる表示制御部と、
を備えたことを特徴とする表示機器。
【請求項２】
前記モーション情報検出部は、前記表示部における表示画面の水平状態を基準とする当該表示機器の傾斜角度を前記モーション情報として検出し、
前記画像処理部は、前記モーション情報検出部が検出した前記傾斜角度に基づいて、前記処理画像データを生成することを特徴とする請求項１に記載の表示機器。
【請求項３】
前記モーション情報検出部は、当該表示機器が傾斜する傾斜方向を前記モーション情報としてさらに検出し、
前記画像処理部は、前記モーション情報検出部が検出した前記傾斜角度および前記傾斜方向に基づいて、前記画像の一端側を他端側に近づけて縮小して仮想的に前記画像が傾斜した前記処理画像データを生成することを特徴とする請求項２に記載の表示機器。
【請求項４】
前記画像処理部は、前記モーション情報検出部が検出した前記傾斜角度および前記傾斜方向に基づいて、前記画像を複数の領域に分割し、該複数の領域に対して互いに異なる画像処理を行って前記処理画像データを生成することを特徴とする請求項３に記載の表示機器。
【請求項５】
前記モーション情報検出部は、当該表示機器が円運動を行う場合、該円運動に関する情報を前記モーション情報として検出し、
前記画像処理部は、前記モーション情報検出部が検出した検出結果に基づいて、前記画像処理を行って前記処理画像データを生成することを特徴とする請求項１に記載の表示機器。
【請求項６】
前記円運動に関する情報は、当該表示機器が円運動を開始してからの回転数であり、
前記画像処理部は、前記回転数に基づいて、前記画像の外縁から中心に向けて徐々にぼけるぼかし処理をさらに行って前記処理画像データを生成することを特徴とする請求項５に記載の表示機器。
【請求項７】
前記円運動に関する情報は、当該表示機器が円運動を行った際の角速度をさらに含み、
前記画像処理部は、前記角速度に基づいて、前記ぼかし処理の強度を設定して前記処理画像データを生成することを特徴とする請求項６に記載の表示機器。
【請求項８】
前記モーション情報検出部は、前記表示部の表示画面に対する外部からの接触回数または圧力を前記モーション情報として検出し、
前記画像処理部は、前記モーション情報検出部が検出した前記接触回数または前記圧力に基づいて、前記処理画像データを生成することを特徴とする請求項１に記載の表示機器。
【請求項９】
前記画像処理部が生成した前記処理画像データを外部機器へ送信する送信部をさらに備えたことを特徴とする請求項１〜７のいずれか一つに記載の表示機器。
【請求項１０】
画像データに対応する画像を表示可能な表示部を備えた表示機器が実行する表示方法であって、
当該表示機器のモーション情報を検出するモーション情報検出ステップと、
前記モーション情報検出ステップで検出した前記モーション情報に基づいて、少なくとも前記画像を変形させる画像処理を行って処理画像データを生成する画像処理ステップと、
前記画像処理ステップで生成した前記処理画像データに対応する処理画像を前記表示部に表示させる表示制御ステップと、
を含むことを特徴とする表示方法。
【請求項１１】
画像データに対応する画像を表示可能な表示部を備えた表示機器に、
当該表示機器のモーション情報を検出するモーション情報検出ステップと、
前記モーション情報検出ステップで検出した前記モーション情報に基づいて、少なくとも前記画像を変形させる画像処理を行って処理画像データを生成する画像処理ステップと、
前記画像処理ステップで生成した前記処理画像データに対応する処理画像を前記表示部に表示させる表示制御ステップと、
を実行させることを特徴とするプログラム。
【発明の詳細な説明】
【技術分野】
【０００１】
本発明は、画像データに対応する画像を表示可能な表示機器、表示方法およびプログラムに関する。
【背景技術】
【０００２】
近年、画像を表示する表示部の表示面を傾けることによって、複数のメニュー項目を表示する技術が知られている（特許文献１参照）。この技術では、表示部の表示面における水平面に対する傾きを検出し、この検出結果に応じて、表示面と垂直な奥行き方向に配置した複数のメニュー項目を、表示面と平行な方向にずらすことによって複数のメニュー項目を立体的に表示させる。
【先行技術文献】
【特許文献】
【０００３】
【特許文献１】特開２０１２−２４３０１２号公報
【発明の概要】
【発明が解決しようとする課題】
【０００４】
ところで、従来、画像を所望の形に変形させる場合、専用のソフトを用いらなければならなかった。このため、初心者やソフトを扱うことが不慣れユーザに対しては、操作が難しく、敷居が高かった。このため、上述した特許文献１のような直感的な操作で表示部が表示する画像を変形しなから表示することができる技術が望まれていた。
【０００５】
本発明は、上記に鑑みてなされたものであって、直感的な操作で画像処理することができる表示機器、表示方法およびプログラムを提供することを目的とする。
【課題を解決するための手段】
【０００６】
上述した課題を解決し、目的を達成するために、本発明に係る表示機器は、画像データに対応する画像を表示可能な表示部を備えた表示機器であって、当該表示機器のモーション情報を検出するモーション情報検出部と、前記モーション情報検出部が検出した前記モーション情報に基づいて、少なくとも前記画像を変形させる画像処理を行って処理画像データを生成する画像処理部と、前記画像処理部が生成した前記処理画像データに対応する処理画像を前記表示部に表示させる表示制御部と、を備えたことを特徴とする。
【０００７】
また、本発明に係る表示機器は、上記発明において、前記モーション情報検出部は、前記表示部における表示画面の水平状態を基準とする当該表示機器の傾斜角度を前記モーション情報として検出し、前記画像処理部は、前記モーション情報検出部が検出した前記傾斜角度に基づいて、前記処理画像データを生成することを特徴とする。
【０００８】
また、本発明に係る表示機器は、上記発明において、前記モーション情報検出部は、当該表示機器が傾斜する傾斜方向を前記モーション情報としてさらに検出し、前記画像処理部は、前記モーション情報検出部が検出した前記傾斜角度および前記傾斜方向に基づいて、前記画像の一端側を他端側に近づけて縮小して仮想的に前記画像が傾斜した前記処理画像データを生成することを特徴とする。
【０００９】
また、本発明に係る表示機器は、上記発明において、前記画像処理部は、前記モーション情報検出部が検出した前記傾斜角度および前記傾斜方向に基づいて、前記画像を複数の領域に分割し、該複数の領域に対して互いに異なる画像処理を行って前記処理画像データを生成することを特徴とする。
【００１０】
また、本発明に係る表示機器は、上記発明において、前記モーション情報検出部は、当該表示機器が円運動を行う場合、該円運動に関する情報を前記モーション情報として検出し、前記画像処理部は、前記モーション情報検出部が検出した検出結果に基づいて、前記画像処理を行って前記処理画像データを生成することを特徴とする。
【００１１】
また、本発明に係る表示機器は、上記発明において、前記円運動に関する情報は、当該表示機器が円運動を開始してからの回転数であり、前記画像処理部は、前記回転数に基づいて、前記画像の外縁から中心に向けて徐々にぼけるぼかし処理をさらに行って前記処理画像データを生成することを特徴とする。
【００１２】
また、本発明に係る表示機器は、上記発明において、前記円運動に関する情報は、当該表示機器が円運動を行った際の角速度をさらに含み、前記画像処理部は、前記角速度に基づいて、前記ぼかし処理の強度を設定して前記処理画像データを生成することを特徴とする。
【００１３】
また、本発明に係る表示機器は、上記発明において、前記モーション情報検出部は、前記表示部の表示画面に対する外部からの接触回数または圧力を前記モーション情報として検出し、前記画像処理部は、前記モーション情報検出部が検出した前記接触回数または前記圧力に基づいて、前記処理画像データを生成することを特徴とする。
【００１４】
また、本発明に係る表示機器は、上記発明において、前記画像処理部が生成した前記処理画像データを外部機器へ送信する送信部をさらに備えたことを特徴とする。
【００１５】
また、本発明に係る表示方法は、画像データに対応する画像を表示可能な表示部を備えた表示機器が実行する表示方法であって、当該表示機器のモーション情報を検出するモーション情報検出ステップと、前記モーション情報検出ステップで検出した前記モーション情報に基づいて、少なくとも前記画像を変形させる画像処理を行って処理画像データを生成する画像処理ステップと、前記画像処理ステップで生成した前記処理画像データに対応する処理画像を前記表示部に表示させる表示制御ステップと、を含むことを特徴とする。
【００１６】
また、本発明に係るプログラムは、画像データに対応する画像を表示可能な表示部を備えた表示機器に、当該表示機器のモーション情報を検出するモーション情報検出ステップと、前記モーション情報検出ステップで検出した前記モーション情報に基づいて、少なくとも前記画像を変形させる画像処理を行って処理画像データを生成する画像処理ステップと、前記画像処理ステップで生成した前記処理画像データに対応する処理画像を前記表示部に表示させる表示制御ステップと、を実行させることを特徴とする。
【発明の効果】
【００１７】
本発明によれば、直感的な操作で画像を変形しながら表示することができるという効果を奏する。
【図面の簡単な説明】
【００１８】
【図１】図１は、本発明の実施の形態１に係る表示機器の機能構成を示すブロック図である。
【図２】図２は、本発明の実施の形態１に係る表示機器が実行する処理の概要を示すフローチャートである。
【図３】図３は、本発明の実施の形態１に係る表示機器の表示部が表示する画像の一例を示す図である。
【図４】図４は、図２の画像変形処理の概要を示すフローチャートである。
【図５】図５は、ユーザが表示機器を水平状態から傾斜させる状態を模式的に示す図である。
【図６】図６は、本発明の実施の形態１に係る表示機器の画像処理部がＸ方向に画像を縮小する画像処理の概要を説明する図である。
【図７】図７は、本発明の実施の形態１に係る表示機器の画像処理部がＹ方向に画像を縮小する画像処理の概要を説明する図である。
【図８】図８は、本発明の実施の形態１に係る表示機器の表示部が表示する画像の一例を示す図である。
【図９】図９は、本発明の実施の形態２に係る表示機器の機能構成を示すブロック図である。
【図１０】図１０は、本発明の実施の形態２に係る表示機器が実行する処理の概要を示すフローチャートである。
【図１１】図１１は、図１０の画像変形処理の概要を示すフローチャートである。
【図１２】図１２は、図１０の画像ぼかし処理の概要を示すフローチャートである。
【図１３】図１３は、本発明の実施の形態２に係る表示機器の画像加工部が行う領域毎の画像処理の概要を示す図である。
【図１４】図１４は、本発明の実施の形態２に係る表示機器の画像加工部が行う画像処理の概要を示す図である。
【図１５】図１５は、本発明の実施の形態２に係る表示機器の表示部が表示する画像の一例を示す図である。
【図１６】図１６は、本発明の実施の形態３に係る表示機器の機能構成を示すブロック図である。
【図１７】図１７は、本発明の実施の形態３に係る表示機器が実行する処理の概要を示すフローチャートである。
【図１８】図１８は、ユーザが表示機器を回転させる状態を模式的に示す図である。
【図１９】図１９は、本発明の実施の形態３に係る表示機器の表示部が表示する画像の一例を示す図である。
【図２０】図２０は、本発明の実施の形態の変形例に係るモーション検出部による傾斜角度の一例を示す図である。
【図２１】図２１は、本発明の実施の形態の変形例に係るモーション検出部による傾斜角度の別の一例を示す図である。
【図２２】図２２は、本発明の実施の形態の変形例に係る表示機器の画像処理が行う画像処理の比率と検出角度との対応関係を示す図である。
【図２３】図２３は、本発明の実施の形態の変形例に係るモーション検出部によるモーション検出の別の一例を示す図である。
【図２４】図２４は、本発明の実施の形態の変形例に係るモーション検出部によるモーションとしてタップを検出する際の状況を模式的に示す図である。
【図２５】図２５は、本発明の実施の形態の変形例に係る表示機器の画像処理が行う画像処理の比率と外力との対応関係を示す図である。
【発明を実施するための形態】
【００１９】
以下、図面を参照して、本発明を実施するための形態（以下、「実施の形態」という）について説明する。なお、以下の実施の形態により本発明が限定されるものではない。また、図面の記載において、同一の部分には同一の符号を付して説明する。
【００２０】
（実施の形態１）
図１は、本発明の実施の形態１に係る表示機器の機能構成を示すブロック図である。図１に示す表示機器１は、撮像部２と、モーション情報検出部３と、操作部４と、記録部５と、表示部６と、制御部７と、を備える。
【００２１】
撮像部２は、制御部７の制御のもと、所定の視野領域を連続的に撮像して、時間的に連続する複数の画像データを生成する。撮像部２は、複数のレンズから構成され、被写体像を結像する光学系と、光学系の光量を調整する絞りと、光学系が結像した被写体像を受光して光電変換を行うことによって画像データを生成するＣＣＤ（Charge  Coupled  Device）やＣＭＯＳ（Complementary  Metal  Oxide  Semiconductor）等の撮像素子と、撮像素子の状態を露光状態または遮光状態に設定するシャッタと、撮像素子が生成した画像データに対して所定のアナログ処理を行う信号処理部と、信号処理部から入力されたアナログの画像データに対してＡ／Ｄ変換を行うことによってデジタルの画像データを生成して制御部７へ出力するＡ／Ｄ変換部と、撮像素子の撮像タイミングを発生するタイミングジェネレータと、を用いて構成される。
【００２２】
モーション情報検出部３は、表示機器１のモーション情報（姿勢変化やタップ、シェイクなど）を検出する。具体的には、モーション情報検出部３は、表示部６における表示画面の水平状態を基準とする表示機器１の傾斜角度をモーション情報として検出する。また、モーション情報検出部３は、表示機器１が傾斜した傾斜方向を表示機器１のモーション情報としてさらに検出する。ここで、傾斜方向とは、表示部６における表示画面の両端のうち、ユーザ側から距離が近い一端側から距離が遠い他端側に向けて傾斜した方向（方向ベクトル）である。モーション情報検出部３は、水準器、加速度センサおよびジャイロセンサを用いて構成される。
【００２３】
操作部４は、表示機器１に関する各種の動作を指示する指示信号の入力を受け付ける。操作部４は、表示機器１の電源状態をオン状態またはオフ状態に切り換える電源スイッチ、撮影の指示を与えるレリーズ信号の入力を受け付けるレリーズスイッチおよび表示機器１のモードを切り換える切換スイッチ等を用いて構成される。
【００２４】
記録部５は、制御部７を介して入力される画像データ、表示機器１の処理中の情報、表示機器１を動作させるための各種プログラムや本実施の形態１に係るプログラムおよびプログラムの実行中に使用される各種データ等を記録する。記録部５は、ＳＤＲＡＭ（Synchronous  Dynamic  Random  Access  Memory）、Ｆｌａｓｈメモリおよびメモリカード等を用いて構成される。
【００２５】
表示部６は、制御部７の制御のもと、撮像部２が生成した画像データに対応する画像を表示する。ここで、画像の表示には、記録部５に記録された画像データに対応する再生画像を表示する再生表示、および撮像部２が連続的に生成する画像データに対応するライブビュー画像を順次表示するライブビュー画像表示等が含まれる。表示部６は、液晶または有機ＥＬ（Electro  Luminescence）からなる表示パネルおよび駆動ドライバ等を用いて構成される。
【００２６】
制御部７は、表示機器１を構成する各部に対する指示やデータの転送等を行って表示機器１の動作を統括的に制御する。制御部７は、ＣＰＵ（Central  Processing  Unit）を用いて構成される。
【００２７】
ここで、制御部７の詳細な構成について説明する。制御部７は、少なくとも、画像処理部７１と、撮像制御部７２と、表示制御部７３と、を有する。
【００２８】
画像処理部７１は、撮像部２が生成した画像データ（ＲＡＷデータ）に対して所定の画像処理を行って処理画像データを生成する。具体的には、画像処理部７１は、撮像部２から入力された画像データに対して、オプティカルブラック減算処理、ホワイトバランス（ＷＢ）調整処理、カラーマトリクス演算処理、ガンマ補正処理、色再現処理およびエッジ強調処理等を含む画像処理を行う。さらに、画像処理部７１は、画像処理を施した画像データに対して所定の形式に従って圧縮し、この圧縮した画像データを記録部５に記録する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像処理部７１は、記録部５に記録された画像データ（圧縮画像データ）を取得し、取得した画像データを展開（伸長）して表示部６へ出力する。
【００２９】
また、画像処理部７１は、表示機器１が再生モードに設定された場合、モーション情報検出部３が検出したモーション情報に基づいて、少なくとも表示部６が表示する画像を変形させる画像処理を行って処理画像データを生成する。具体的には、画像処理部７１は、表示部６の表示画面の状態が水平状態から斜め下方向へ傾斜した場合において、モーション情報検出部３が検出した傾斜角度に基づいて、表示部６が表示する画像を所定の形状、例えば台形になるように線形補間等の圧縮処理や縮小処理によって画像を変形させた処理画像データを生成する。例えば、画像処理部７１は、表示部６の傾斜方向に向けて画像の一端側を他端側に近づけて長手方向の長さを縮小するとともに、他端側の短手方向の長さを縮小して画像の縦横比が一端側に向けて徐々に縮小される縮小処理または圧縮されるリサイズ処理を行うことによって仮想的に表示部６が表示する画像が傾斜した処理画像データを生成する。
【００３０】
撮像制御部７２は、操作部４からレリーズ信号が入力された場合、撮像部２における撮影動作を開始する制御を行う。ここで、撮像部２における撮影動作とは、撮像部２に画像データを生成させて画像処理部７１に基本の画像処理を施させて記録部５に記録する。
【００３１】
表示制御部７３は、撮像部２が生成した画像データに対応する画像を表示部６に表示させる。また、表示制御部７３は、表示機器１に関する各種の操作情報を表示部６に表示させる。さらに、表示制御部７３は、画像処理部７１が生成した処理画像データに対応する処理画像を表示部６に表示させる。
【００３２】
以上の構成を有する表示機器１が実行する処理について説明する。図２は、表示機器１が実行する処理の概要を示すフローチャートである。
【００３３】
図２に示すように、まず、表示機器１が撮影モードに設定されている場合（ステップＳ１０１：Ｙｅｓ）について説明する。この場合、表示制御部７３は、撮像部２が生成した画像データに対応するライブビュー画像を表示部６に表示させる（ステップＳ１０２）。
【００３４】
続いて、操作部４から撮影を指示するレリーズ信号が入力された場合（ステップＳ１０３：Ｙｅｓ）、撮像制御部７２は、撮像部２に撮影を実行させ（ステップＳ１０４）、撮像部２が生成した画像データを記録部５に記録させる（ステップＳ１０５）。
【００３５】
その後、操作部４を介して電源をオフする指示信号が入力された場合（ステップＳ１０６：Ｙｅｓ）、表示機器１は、本処理を終了する。これに対して、操作部４を介して電源をオフする指示信号が入力されていない場合（ステップＳ１０６：Ｎｏ）、表示機器１は、ステップＳ１０１へ戻る。
【００３６】
ステップＳ１０３において、操作部４から撮影を指示するレリーズ信号が入力されていない場合（ステップＳ１０３：Ｎｏ）、表示機器１は、ステップＳ１０６へ移行する。
【００３７】
次に、ステップＳ１０１において、表示機器１が撮影モードに設定されていない場合（ステップＳ１０１：Ｎｏ）について説明する。この場合において、表示機器１が再生モードに設定されているとき（ステップＳ１０７：Ｙｅｓ）、表示制御部７３は、記録部５に記録された複数の画像ファイルそれぞれに記録（格納）された複数の画像データに対応する複数の画像を表示部６に一覧表示させる（ステップＳ１０８）。
【００３８】
続いて、操作部４を介して表示部６が表示する複数の画像の中から全画面表示する画像が選択された場合（ステップ１０９：Ｙｅｓ）、表示制御部７３は、操作部４を介して選択された画像を表示部６に全画面表示させる（ステップＳ１１０）。具体的には、図３に示すように、表示制御部７３は、操作部４を介して選択された画像Ｐ1を表示部６に全画面表示させる。
【００３９】
その後、表示機器１は、モーション情報検出部３が検出した検出結果に基づいて、表示部６が全画面表示する画像に対して、画像処理部７１が画像を変形させる画像変形処理を実行する（ステップＳ１１１）。なお、画像変形処理の詳細は後述する。
【００４０】
続いて、操作部４を介して再生モードを終了する指示信号が入力された場合（ステップＳ１１２：Ｙｅｓ）、表示機器１は、ステップＳ１０６へ移行する。これに対して、操作部４を介して再生モードを終了する指示信号が入力されていない場合（ステップＳ１１２：Ｎｏ）、表示機器１は、ステップＳ１０８へ戻る。
【００４１】
ステップＳ１０９において、操作部４を介して表示部６が表示する複数の画像の中から全画面表示する画像が選択されていない場合（ステップＳ１０９：Ｎｏ）、表示機器１は、ステップＳ１０８へ戻る。
【００４２】
次に、図２のステップＳ１１１で説明した画像変形処理について詳細に説明する。図４は、画像変形処理の概要を示すフローチャートである。
【００４３】
図４に示すように、モーション情報検出部３は、表示部６の表示画面を水平にした状態を基準とした場合において、表示機器１の一端を基準とするときの表示機器１の傾斜した傾斜角度を検出する（ステップＳ２０１）。具体的には、図５に示すように、モーション情報検出部３は、表示部６の表示画面の水平状態を基準とした場合において、表示機器１の一端を基準とするときの表示機器１の傾斜した傾斜角度θを検出する（図５（ａ）→図５（ｂ））。さらに、モーション情報検出部３は、表示機器１が所定の位置から傾斜した傾斜方向をモーション情報として検出する。例えば、モーション情報検出部３は、表示部６の表示画面の一端を基準とするときの他端が傾斜した方向（向き）をモーション情報（方向ベクトル）として検出する。ここでのモーションは、傾け時の機器の端部や各部位、特に表示部の、ユーザの目からの位置差や距離差、またはこれらの変化の傾向、態様に相当するものであるとも言える。ユーザを基準にした表示部６の時間的位置変化と表現しても良い。機器（表示機器１）に面積がある場合、把持した部分や機器中心を仮想の支点として、端部に起こりうる、そこ（支点）からの位置変化を想定した画像処理となる。起こりうる、と書いたのは、実際の距離差を利用して強調表示しても良いからである。
【００４４】
続いて、制御部７は、モーション情報検出部３によって検出された検出結果に基づいて、表示機器１が基準位置から傾いているか否かを判断する（ステップＳ２０２）。具体的には、図５に示すように、制御部７は、ユーザが表示部６の表示画面の水平状態（図５（ａ））から一端を基準に他端を傾けた状態（図５（ａ）→図５（ｂ））にしているので、表示機器１が基準位置から傾いていると判断する。制御部７がモーション情報検出部３によって検出された検出結果に基づいて、表示機器１が基準位置から傾いていると判断した場合（ステップＳ２０２：Ｙｅｓ）、表示機器１は、後述するステップＳ２０３へ移行する。
【００４５】
その後、画像処理部７１は、モーション情報検出部３が検出した傾斜角度に基づいて、表示部６が表示する画像に対して、Ｘ方向に縮小する画像処理を行うとともに（ステップＳ２０３）、Ｙ方向に縮小する画像処理を行う（ステップＳ２０４）。
【００４６】
図６は、画像処理部７１がＸ方向（長手方向）に画像を縮小する画像処理の概要を説明する図である。図７は、画像処理部７１がＹ方向（短手方向）に画像を縮小する画像処理の概要を説明する図である。なお、図６および図７では、ユーザの目Ｅの水晶体Ｅ1と網膜Ｅ2とを模式的に示す。
【００４７】
図６に示すように、表示機器１の長手方向の長さをＸ10、モーション情報検出部３が検出した角度をθ、表示機器１が傾斜角度θで傾斜したときに、ユーザが視認可能なＸ方向の長さは、Ｘ10・ｃｏｓθである。また、網膜Ｅ2上で仮想的に結像される画像の長手方向の長さをＸ0、表示機器１が傾斜角度θで傾斜したときに、網膜Ｅ2上で仮想的に結像される画像の長手方向の長さをＸ1とした場合、以下の式が成り立つ。
Ｘ10：Ｘ0＝Ｘ10ｃｏｓθ：Ｘ1      ・・・（１）
従って、画像処理部７１は、表示部６が表示する画像のＸ方向の縮小率を以下の式によって算出する。
Ｘ1／Ｘ0＝ｃｏｓθ      ・・・（２）
【００４８】
また、図７に示すように、表示機器１の短手方向の長さをＹ10、モーション情報検出部３が検出した角度をθ、表示機器１が水平状態から傾斜した位置の長さをＸ10・ｃｏｓθ、ユーザの水晶体Ｅ1から表示部６の表示画面までの長さをＺ0、水晶体Ｅ1から網膜Ｅ2までの距離をＦ、網膜Ｅ2上で仮想的に結像される画像の短手方向の長さをＹ1とした場合、以下の式が成り立つ。
Ｚ0＋Ｘ10・ｃｏｓθ：Ｙ10＝Ｆ：Ｙ1      ・・・（３）
従って、
Ｙ1＝Ｙ10・Ｆ／（Ｚ0＋Ｘb・ｃｏｓθ）      ・・・（４）
また、表示機器１が水平状態のときに網膜Ｅ2上で仮想的に結像される画像の短手方向の長さをＹ0とした場合、以下の式が成り立つ。
Ｚ0：Ｙ10＝Ｆ：Ｙ0      ・・・（５）
従って、
Ｙ0＝Ｙ10・Ｆ／Ｚ0      ・・・（６）
また、式（４）、（６）より、画像処理部７１は、表示部６が表示する画像のＹ方向の縮小率を以下の式によって算出する。
Ｙ1／Ｙ0＝Ｚ0／（Ｚ0＋Ｘ10・ｃｏｓθ）      ・・・（７）
このように、画像処理部７１は、式（２）および式（７）を用いて、表示部６が表示する画像のＸ方向（長手方向）およびＹ方向（短手方向）それぞれの縮小比率を算出し、算出した縮小比率を用いて画像を縮小する画像処理を行って、仮想的に画像が傾斜した処理画像データを生成する。
【００４９】
図４に戻り、ステップＳ２０５以降の説明を続ける。
ステップＳ２０５において、表示制御部７３は、画像処理部７１が生成した処理画像データに対応する画像を表示部６に表示させる。具体的には、図８に示すように、表示制御部７３は、画像処理部７１が生成した処理画像データに対応する画像Ｐ2を表示部６に表示させる（図８（ａ）→図８（ｂ））。これにより、画像があたかも傾き、中心部の被写体（猫）以外の顔を擬似的に小さくすることができる。
【００５０】
続いて、操作部４を介して表示部６が表示する現在の画像を記録する指示信号が入力された場合（ステップＳ２０６：Ｙｅｓ）、制御部７は、画像処理部７１が生成した処理画像データを記録部５に記録する（ステップＳ２０７）。この場合、制御部７は、画像処理部７１が生成した処理画像データ、画像処理部７１が画像処理を行う前の画像データおよびモーション情報検出部３が検出した検出結果を対応付けて記録部５に記録する。ステップＳ２０７の後、表示機器１は、図２のメインルーチンへ戻る。
【００５１】
ステップＳ２０６において、操作部４を介して表示部６が表示する現在の画像を記録する指示信号が入力されていない場合（ステップＳ２０６：Ｎｏ）、表示機器１は、図２のメインルーチンへ戻る。
【００５２】
ステップＳ２０２において、制御部７がモーション情報検出部３によって検出された検出結果に基づいて、表示機器１が基準位置から傾いていないと判断した場合（ステップＳ２０２：Ｎｏ）、表示機器１は、図２のメインルーチンへ戻る。
【００５３】
以上説明した本発明の実施の形態１によれば、簡易かつ直感的な操作で画像を所望の形状にリアルタイムに加工することができる。
【００５４】
また、本発明の実施の形態１によれば、画像内の中部部以外の被写体を圧縮することができる。
【００５５】
（実施の形態２）
次に、本発明の実施の形態２について説明する。上述した実施の形態１では、モーション情報検出部３が検出した角度に基づいて、画像の変形を行う画像変形処理を行っていたが、本実施の形態２では、画像変形処理に加えて、画像をぼかす画像処理（ソフトフォーカス処理）を行う。このため、以下においては、本実施の形態２に係る表示機器の構成を説明後、本実施の形態２に係る表示機器が実行する処理について説明する。なお、上述した実施の形態１に係る表示機器１と同一の構成には同一の符号を付して説明を省略する。
【００５６】
図９は、本実施の形態２に係る表示機器の機能構成を示すブロック図である。図９に示す表示機器１ａは、撮像部２と、モーション情報検出部３と、操作部４と、記録部５と、表示部６と、通信部８と、時計９と、制御部１０と、を備える。
【００５７】
通信部８は、所定の無線通信規格に従って、外部の機器と無線通信を行って画像データを含む画像ファイルを送信または受信する。ここで、所定の無線通信規格は、ＩＥＥＥ８０２．１１ｂおよびＩＥＥＥ８０２．１１ｎ等である。なお、本実施の形態２では、いずれの無線通信規格であっても適用可能である。また、通信部８は、ネットワークを介して外部の機器と画像ファイルやコンテンツデータ等の各種情報を双方向に通信を行うための通信デバイスを用いて構成される。通信デバイスは、他の機器との間で電波信号を送受信するアンテナと、アンテナが受信した信号を復調処理するとともに、送信する信号を変調処理する送受信回路等で構成される。また、通信部８は、表示機器１ａの起動時において、その存在を報知する識別情報（機器ＩＤ）を含む通信信号を定期的に送信する。なお、通信部８は、表示機器１ａの外部から装着されるメモリカード等の記録媒体に設けられていてもよい。さらに、通信部８は、ホットシューを介して表示機器１ａに装着されるアクセサリに設けられていてもよい。なお、通信部８が本発明の送信部として機能する。
【００５８】
時計９は、計時機能および撮影日時の判定機能を有する。時計９は、撮像部２によって生成された画像データに日時データを付加するため、日時データを制御部１０へ出力する。
【００５９】
制御部１０は、表示機器１ａを構成する各部に対する指示やデータの転送等を行って表示機器１ａの動作を統括的に制御する。制御部１０は、ＣＰＵを用いて構成される。
【００６０】
ここで、制御部１０の詳細な構成について説明する。制御部１０は、少なくとも、撮像制御部７２と、表示制御部７３と、画像処理部１０１と、送信制御部１０２と、を有する。
【００６１】
画像処理部１０１は、撮像部２が生成した画像データに対して、所定の画像処理を行う。また、画像処理部１０１は、画像変形部１０１ａと、画像加工部１０１ｂと、を有する。
【００６２】
画像変形部１０１ａは、モーション情報検出部３が検出したモーション情報に基づいて、少なくとも表示部６が表示する画像を変形させる画像処理を行って処理画像データを生成する。具体的には、画像変形部１０１ａは、表示部６の表示画面の状態が水平状態から斜め下方向へ傾斜した場合において、モーション情報検出部３が検出した傾斜角度に基づいて、表示部６が表示する画像を所定の形状、例えば台形になるように線形補間等の圧縮処理や縮小処理によって画像を変形させた処理画像データを生成する。例えば、画像変形部１０１ａは、表示部６が表示する画像内における中央部の被写体を中心に傾斜方向に向けて画像の縦横比が圧縮される縮小処理やリサイズ処理を行うことによって処理画像データを生成する。
【００６３】
画像加工部１０１ｂは、画像変形部１０１ａが生成した処理画像データに対して、モーション情報検出部３が検出した表示機器１ａの傾斜角度および傾斜した傾斜方向に基づいて、処理画像データに対応する画像を複数の領域に分割し、この分割した複数の領域に対して互いに異なる画像処理を行って処理画像データを生成する。具体的には、画像加工部１０１ｂは、処理画像データに対応する画像を複数の領域に分割し、この分割した複数の領域に対して互いに異なる画像処理、例えば、画像の中央部以外にぼかし処理（輝度を低下させる処理や露出値を上げる処理）を行って処理画像データを生成する。ぼかし処理と書いたが、色の変更や混ぜ合わせ、色抜き処理、明るさの変更、画像をずらしながら重ねての疑似ブレ効果など、画面内の位置に応じて変化する画像処理であれば、何でも適用でき、どのような処理をするかをモード切替（手動）で行っても良い。もちろん、モーションに応じて、モードを変えても良い。具体的には、モーションのパターン、回数、速さなどで変更すれば良い。ずっとモーションを加えていれば、適宜、元に戻したりしても良い。
【００６４】
送信制御部１０２は、操作部４から画像データを外部へ送信する指示信号が入力された場合、通信部８を起動し、通信部８を介して画像データを含む画像ファイルを指定先の外部の機器またはネットワークを介してＳＮＳ（Social  Networking  Service）等のサイトへ画像データを送信する。
【００６５】
以上の構成を有する表示機器１ａが実行する処理について説明する。図１０は、表示機器１ａが実行する処理の概要を示すフローチャートである。
【００６６】
図１０において、ステップＳ３０１〜ステップＳ３１０は、上述した図２のステップＳ１０１〜ステップＳ１１０にそれぞれ対応する。
【００６７】
ステップＳ３１１において、操作部４から表示部６が全画面表示している画像を外部の機器または外部サイトへ送信する送信モードを開始する指示信号が入力された場合（ステップＳ３１１：Ｙｅｓ）、表示機器１ａは、後述するステップＳ３１２へ移行する。これに対して、操作部４から表示部６が全画面表示している画像を外部の機器または外部サイトへ送信する送信モードを開始する指示信号が入力されていない場合（ステップＳ３１１：Ｎｏ）、表示機器１ａは、後述するステップＳ３１８へ移行する。
【００６８】
ステップＳ３１２において、表示機器１ａは、モーション情報検出部３が検出した検出結果に基づいて、画像変形部１０１ａが表示部６によって全画面表示された画像に対して、形状を変形する画像変形処理を実行する（ステップＳ３１２）。
【００６９】
図１１は、図１０のステップＳ３１１の画像変形処理の概要を示すフローチャートである。
【００７０】
図１１のステップＳ４０１〜ステップＳ４０４は、上述したステップＳ２０１〜ステップＳ２０４にそれぞれ対応する。
【００７１】
ステップＳ４０５において、制御部１０は、モーション情報検出部３によって検出された傾斜角度に基づいて、表示機器１ａの傾きが初期状態、例えば表示部６の表示画面が水平状態になったか否かを判断する。制御部１０がモーション情報検出部３によって検出された傾斜角度に基づいて、表示機器１ａの傾きが初期状態になったと判断した場合（ステップＳ４０５：Ｙｅｓ）、表示機器１ａは、図１０のメインルーチンへ戻る。これに対して、制御部１０がモーション情報検出部３によって検出された傾斜角度に基づいて、表示機器１ａの傾きが初期状態になっていないと判断した場合（ステップＳ４０５：Ｎｏ）、表示機器１ａは、ステップＳ４０３へ戻る。
【００７２】
図１０に戻り、ステップＳ３１３以降の説明を続ける。
ステップＳ３１３において、表示機器１ａは、モーション情報検出部３が検出した傾斜角度に基づいて、画像加工部１０１ｂが画像変形部１０１ａによって変形された画像に対して、ぼかし処理を施す画像ぼかし処理を実行する。
【００７３】
図１２は、図１０のステップＳ３１３の画像ぼかし処理の概要を示すフローチャートである。
【００７４】
図１２に示すように、モーション情報検出部３は、表示機器１ａの基準位置から傾斜した傾斜角度を検出する（ステップＳ５０１）。
【００７５】
続いて、画像加工部１０１ｂは、モーション情報検出部３が検出した傾斜結果に基づいて、画像の中央部に対して画像処理１を実行し（ステップＳ５０２）、中央部から底部に向けて画像処理２を実行するとともに（ステップＳ５０３）、中央部から上部に向けて画像処理３を実行する（ステップＳ５０４）。
【００７６】
図１３は、画像加工部１０１ｂが画像変形部１０１ａによって変形された後の画像Ｐ２の領域毎に行う画像処理の内容を模式的に示す図である。
【００７７】
図１３に示すように、画像加工部１０１ｂは、画像変形部１０１ａによって仮想的に傾斜させられて変形した画像Ｐ２の領域毎に、異なる画像処理を行って処理画像データを生成する。具体的には、画像加工部１０１ｂは、画像Ｐ２の中心Ｏ１に所定の領域毎に分割し、この分割した領域毎に異なる画像処理を行う。例えば、図１３に示すように、画像加工部１０１ｂは、傾斜した画像Ｐ2の中心Ｏ1からの距離をΔＸ、モーション情報検出部３が検出した傾斜角度をθとした場合、以下の式によって画像Ｐ2の中央部の領域ΔＺを算出する。
ΔＺ＝ΔＸ・ｔａｎθ      ・・・（８）
このように、画像加工部１０１ｂは、式（８）を用いて、画像Ｐ2に基本の画像処理１を施すとともに、中央部から底部の領域に対して画像をぼかす画像処理２、および中央部から上部の領域に対して画像をぼかす画像処理３を行う。具体的には、図１４に示すように、画像加工部１０１ｂは、画像処理２および画像処理３として、画像の輝度を中心から周辺に向けて低下させる画像処理を行うことによって（図１４（ａ）→図１４（ｂ）→図１４（ｃ））、画像の中央部から周辺に向けてぼかす処理を行う。なお、画像加工部１０１ｂは、輝度を低下させていたが、露出値を上げて周辺の領域を露出オーバさせることによって画像をぼかす処理を行ってもよい。
【００７８】
ステップＳ５０４の後、表示機器１ａは、図１０のメインルーチンへ戻る。
ステップＳ３１３の後、表示制御部７３は、画像変形部１０１ａおよび画像加工部１０１ｂが画像処理を行って生成した処理画像データに対応する画像を表示部６に表示させる（ステップＳ３１４）。具体的には、図１５に示すように、表示制御部７３は、画像変形部１０１ａおよび画像加工部１０１ｂが画像処理を行って生成した処理画像データに対応する画像Ｐ3を表示部６に表示させる。これにより、雑多な被写体をぼかすことができ、主要な被写体を際立たせることができる。
【００７９】
続いて、操作部４から表示部６が表示する画像を外部へ送信する指示信号が入力された場合（ステップＳ３１５：Ｙｅｓ）、送信制御部１０２は、通信部８を介して画像変形部１０１ａおよび画像加工部１０１ｂが画像処理を行って生成した処理画像データを含む画像ファイルを外部の機器へ送信する（ステップＳ３１６）。
【００８０】
その後、操作部４から送信モードを終了する指示信号が入力された場合（ステップＳ３１７：Ｙｅｓ）、表示機器１ａは、後述するステップＳ３１８へ移行する。これに対して、操作部４から送信モードを終了する指示信号が入力されていない場合（ステップＳ３１７：Ｎｏ）、表示機器１ａは、ステップＳ３１２へ戻る。
【００８１】
ステップＳ３１８において、操作部４から再生モードを終了する指示信号が入力された場合（ステップＳ３１８：Ｙｅｓ）、表示機器１ａは、ステップＳ３０６へ移行する。これに対して、操作部４から再生モードを終了する指示信号が入力されていない場合（ステップＳ３１８：Ｎｏ）、表示機器１ａは、ステップＳ３０８へ戻る。
【００８２】
以上説明した本発明の実施の形態２によれば、簡易かつ直感的な操作で画像を所望の形状にリアルタイムに加工することができる。
【００８３】
さらに、本発明の実施の形態２によれば、直感的な操作で画像内の中央部の被写体を際立たせることができる。
【００８４】
（実施の形態３）
次に、本発明の実施の形態３について説明する。上述した実施の形態２では、モーション情報検出部３が検出した表示機器１の傾斜角度に基づいて、画像の変形および画像をぼかす画像処理を行っていたが、本実施の形態３では、表示機器の回転に応じて画像の変形および画像をぼかす画像処理を行う。このため、以下においては、本実施の形態３に係る表示機器の構成を説明後、本実施の形態３に係る表示機器が実行する処理について説明する。なお、上述した実施の形態２に係る表示機器１ａと同一の構成には同一の符号を付して説明を省略する。
【００８５】
図１６は、本実施の形態３に係る表示機器の機能構成を示すブロック図である。図１６に示す表示機器１ｂは、撮像部２ａと、モーション情報検出部３ａと、操作部４と、記録部５と、表示部６と、通信部８と、時計９と、制御部２０と、を備える。
【００８６】
撮像部２ａは、被写体を撮像し、被写体の画像データを生成して制御部２０へ出力する。撮像部２ａは、少なくとも、複数のレンズから構成され、被写体像を結像するレンズ部２１と、レンズ部２１が結像した被写体像を受光して光電変換を行うことによって画像データを生成するＣＣＤやＣＭＯＳ等の撮像素子２２と、を有する。
【００８７】
モーション情報検出部３ａは、表示機器１ｂが円運動を行う場合、この円運動に関する情報をモーション情報として検出する。具体的には、モーション情報検出部３ａは、表示部６の表示画面を水平にした状態から表示機器１ｂがユーザによって円運動を開始してからの回転数を検出する。さらに、モーション情報検出部３ａは、表示機器１ｂが円運動を行った際の角速度をモーション情報としてさらに検出する。ここで、角速度とは、表示機器１ｂが円運動を行った場合、１周期（１回転）の平均速度または最大速度のどちらか一方である。モーション情報検出部３ａは、加速度センサ、ジャイロセンサおよび圧力センサ等を用いて構成される。これは、機器内の複数の位置に配置すると、傾けや回動の正確な判定が可能となる。どこが支点や中心となって、どう動いているかを正確に判断可能となるが、支点や中心は、画面中央相当にあらかじめ決める仕様で合っても良い。この場合は、検出部は一つでも良い。
【００８８】
制御部２０は、表示機器１ｂを構成する各部に対する指示やデータの転送等を行って表示機器１ｂの動作を統括的に制御する。
【００８９】
ここで、制御部７の詳細な構成について説明する。制御部７は、少なくとも、撮像制御部７２と、表示制御部７３と、送信制御部１０２と、画像処理部２０１と、を有する。
【００９０】
画像処理部２０１は、撮像部２ａが生成した画像データに対して、所定の画像処理を行う。また、画像処理部２０１は、画像加工部２０１ａと、を有する。
【００９１】
画像加工部２０１ａは、モーション情報検出部３ａが検出した表示機器１ｂの回転数に基づいて、表示部６が表示する画像の外縁から中心に向けて徐々にぼけるぼかし処理を行って処理画像データを生成する。具体的には、画像加工部２０１ａは、モーション情報検出部３ａが検出した表示機器１ｂの回転数に基づいて、表示部６が表示する画像に対するぼかす処理の領域を設定し、この領域に対してぼかし処理を行うことによって画像の外縁から中心に向けて徐々にぼける処理画像データを生成する。さらに、画像加工部２０１ａは、モーション情報検出部３ａが検出した表示機器１ｂの角速度に基づいて、ぼかし処理の強度を調整する。ここで、ぼかし処理とは、画像データに含まれる輝度を低下させる処理または露出値を上げる処理のどちらか一方である。もちろん、画像加工部２０１ａは、ソフトフォーカスを施すぼかし処理を行ってもよい。
【００９２】
以上の構成を有する表示機器１ｂが実行する処理について説明する。図１７は、表示機器１ｂが実行する処理の概要を示すフローチャートである。
【００９３】
図１７において、ステップＳ６０１〜ステップＳ６１１は、上述した図１０のステップＳ３０１〜ステップＳ３１１にそれぞれ対応する。
【００９４】
ステップＳ６１２において、モーション情報検出部３ａは、表示機器１ｂに生じる回転の検出を開始する。具体的には、図１８に示すように、モーション情報検出部３ａは、ユーザがハンドルを回すように表示機器１ｂで円を描くように回転させた場合の回転数の検出を開始する。もちろん、モーション情報検出部３ａは、円でなく、表示機器１ｂの楕円運動や表示機器１ｂの動きの周期の軌跡を検出することによって、表示機器１ｂの回転数を検出してもよい。ここでのモーションは、回動時の機器の端部や各部位、特に表示部の、ユーザの目からの位置差や距離差、またはこれらの変化の傾向、態様に相当するものであるとも言える。ユーザを基準にした表示部の時間的位置変化と表現しても良い。機器に面積がある場合、把持した部分や機器中心を仮想の支点として、端部に起こりうるそこからの位置変化を用いた画像処理となる。
【００９５】
続いて、画像加工部２０１ａは、モーション情報検出部３ａが検出した回転数に応じて、表示部６が表示する画像の周辺（外縁）からぼかし処理を行い（ステップＳ６１３）、モーション情報検出部３ａが検出した表示機器１ｂの角速度に応じてぼかし処理の強度を変更する（ステップＳ６１４）。具体的には、図１９に示すように、画像加工部２０１ａは、モーション情報検出部３ａが検出した回転数および角速度に基づいて、表示部６が表示する画像の周辺からぼかし処理を行ってぼけの領域が円形になるように画像処理を行う（図１９（ａ）→図１９（ｂ））。
【００９６】
その後、制御部２０は、モーション情報検出部３ａから入力される検出結果に基づいて、表示機器１ｂが停止したか否かを判断する（ステップＳ６１５）。制御部２０がモーション情報検出部３ａから入力される検出結果に基づいて、表示機器１ｂが停止したと判断した場合（ステップＳ６１５：Ｙｅｓ）、表示機器１ｂは、後述するステップＳ６１６へ移行する。これに対して、制御部２０がモーション情報検出部３ａから入力される検出結果に基づいて、表示機器１ｂが停止していないと判断した場合（ステップＳ６１５：Ｎｏ）、表示機器１ｂは、ステップＳ６１３へ戻る。
【００９７】
ステップＳ６１６において、表示制御部７３は、画像加工部２０１ａが生成した処理画像データに対応する画像を表示部６に表示させる。具体的には、図１９に示すように、表示制御部７３は、画像加工部２０１ａが生成した処理画像データに対応する画像Ｐ４を表示部６に表示させる（図１９（ａ）→図１９（ｂ））。ステップＳ６１６の後、表示機器１ｂは、ステップＳ６１７へ移行する。ここでは、猫の顔はぼけたりしていないが、これは、画面中心部は回動時の中心と見なせるからで、この部分は回動（表示部の位置変化）が小さいから変化なしとしている。猫の輪郭はぼかしてもよいが、猫を判定して猫に相当する部分をぼかさない工夫をしても良い。また、周辺に表示されている部分は。回動中心から遠く、位置変化が大きいので、それに応じてぼかしたり、ぶらすように画像を重ねたりしても良い。このとき、回動の速さで、このボカシ量を強調したりしてもよく、回動の仕方によって回動中心を変えても良い。
【００９８】
ステップＳ６１７〜ステップＳ６２０は、上述した図１０のステップＳ３１５〜ステップＳ３１８にそれぞれ対応する。
【００９９】
以上説明した本発明の実施の形態３によれば、直感的な操作で画像内の中央部の被写体を際立たせることができる。
【０１００】
（その他の実施の形態）
本発明に係る表示機器では、表示機器１の中心を基準に表示機器１が傾斜した角度を検出してもよい。具体的には、図２０に示すように、モーション情報検出部は、表示機器１の中心を基準に表示機器１が傾斜した傾斜角度θを検出する（図２０（ａ）→図２０（ｂ））。
【０１０１】
また、本発明に係る表示機器では、モーション情報検出部が検出する角度と画像を変形させる画像処理の強度とを予め対応付けていてもよい。具体的には、図２１に示すように、画像処理部は、表示機器１が傾斜角度θで傾斜した場合、画像処理部は、モーション情報検出部が検出した傾斜角度と画像を変形させる画像処理の強度とを対応付けた画像処理情報（図２２を参照）に基づいて、表示部６が表示する画像を変形させる。例えば、画像処理部は、モーション情報検出部が４５度を検出した場合、表示部が表示する画像の短手方向（Ｙ方向）の長さを０.５倍になるように圧縮処理や縮小処理を行う。
【０１０２】
また、本発明に係る表示機器では、図２３に示すように、表示機器１に対するタップや圧力に基づいて、表示部６が表示する画像の形状を変更する画像処理を行ってもよい。具体的には、図２４に示すように、画像処理部は、ユーザによる表示機器１に対するタップの回数（接触回数）に基づいて（図２４（ａ）→図２４（ｂ））、表示部６が表示する画像の形状を変更する画像処理を行う。さらに、図２５に示すように、画像処理部は、ユーザによる表示機器１に対するタップの強さに基づいて、表示部６が表示する画像の形状を変更する画像処理を行ってもよい。ここでのタップもモーションと言え、回動時の機器の端部や各部位、特に表示部の、ユーザの目からの位置差や距離差、またはこれらの変化の傾向、態様を促すような擬似的な位置変化に相当するものであるとも言える。たとえ、実際には、しっかりと把持されていた時には変化がないとしても、もし、把持が弱かった時には起こりうるユーザを基準にした表示部の擬似的な時間的位置変化と表現できる。機器に面積がある場合、把持した部分や機器中心を仮想の支点として、端部に起こりうるそこからの位置変化を用いた画像処理となる。起こりうると書いたのは、強調表示を行っても良いからである。また、複数回に分けて異なるモーションを加えて、画像処理結果にさらに画像処理を加え、より細かいあるいは複雑な画像処理を行えるようにしても良い。
【０１０３】
また、本発明に係る表示機器は、デジタル一眼レフカメラ以外にも、たとえデジタルカメラ、デジタルビデオカメラ、撮像機能を有する携帯電話やタブレット型携帯機器等の電子機器および内視鏡や顕微鏡で撮像された画像データに対応する画像を表示する表示装置等にも適用することができる。つまり、観察や鑑賞、検査時に画像の強調などを行う時にも有用である。このとき、あらかじめ検出されたモーションを、記録しておき、その後の画像の画像処理に反映させれば、常にモーションをかけなくても良い。
【０１０４】
また、本発明に係る表示機器は、本体部に対してレンズ部が着脱自在であってもよいし、本体部に対してレンズ部が一体的に形成されていてもよい。
【０１０５】
また、本発明に係る表示機器に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１０６】
また、本発明に係る表示機器に実行させるプログラムは、インターネット等のネットワークに接続されたコンピュータ上に格納し、ネットワーク経由でダウンロードさせることにより提供するように構成してもよい。さらに、本発明に係る表示機器に実行させるプログラムをインターネット等のネットワーク経由で提供または配布するように構成しても良い。
【０１０７】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。即ち、本明細書で記載したフローチャートにおける処理の順序は、矛盾のない範囲で変更することができる。
【０１０８】
このように、本発明は、ここでは記載していない様々な実施の形態を含みうるものであり、特許請求の範囲によって特定される技術的思想の範囲内で種々の設計変更等を行うことが可能である。
【符号の説明】
【０１０９】
１，１ａ，１ｂ  表示機器
２，２ａ  撮像部
３，３ａ  モーション検出部
４  操作部
５  記録部
６  表示部
７，１０，２０  制御部
８  通信部
９  時計
２１  レンズ部
２２  撮像素子
７１  画像処理部
７２  撮像制御部
７３  表示制御部
１０１ａ  画像変形部
１０１ｂ，２０１ａ  画像加工部
１０２  送信制御部
【図１】
2015135623.tif 000003
【図２】
2015135623.tif 000004
【図３】
2015135623.tif 000005
【図４】
2015135623.tif 000006
【図５】
2015135623.tif 000007
【図６】
2015135623.tif 000008
【図７】
2015135623.tif 000009
【図８】
2015135623.tif 000010
【図９】
2015135623.tif 000011
【図１０】
2015135623.tif 000012
【図１１】
2015135623.tif 000013
【図１２】
2015135623.tif 000014
【図１３】
2015135623.tif 000015
【図１４】
2015135623.tif 000016
【図１５】
2015135623.tif 000017
【図１６】
2015135623.tif 000018
【図１７】
2015135623.tif 000019
【図１８】
2015135623.tif 000020
【図１９】
2015135623.tif 000021
【図２０】
2015135623.tif 000022
【図２１】
2015135623.tif 000023
【図２２】
2015135623.tif 000024
【図２３】
2015135623.tif 000025
【図２４】
2015135623.tif 000026
【図２５】
2015135623.tif 000027